(57)【要約】【課題】使用済みのティッシュペーパを一時的に保管するゴミ袋を備えた携帯用ゴミ袋付きのティッシュペーパ袋を提供すること。【解決手段】上端に開口部２ａを有するゴミ袋２の下方部表側に、ティッシュペーパ収納用開口部３ａとペーパ取出し口３ｂを有するティッシュペーパポケット３を接着した、透明又は不透明な合成樹脂製シート材よりなるゴミ袋付きティッシュペーパ袋。【選択図】図１
0003151805.tif 000002
【実用新案登録請求の範囲】
【請求項１】
上端に開口部２ａを有する封筒状袋体であるゴミ袋２の下方部表側２ｆに前記ゴミ袋２と平行なティッシュペーパ収納用開口部３ａのほぼ中央部にあって前記開口部３ａと直角な方向に開口するペーパ取出し口３ｂを有するティッシュペーパポケット３を設けたことを特徴とするゴミ袋付きティッシュペーパ袋。
【請求項２】
開口部２ａにはファスナー等の開閉手段が設けられていることを特徴とする請求項１記載のゴミ袋付きティッシュペーパ袋。
【請求項３】
ゴミ袋２は不透明な合成樹脂製シート材で構成されていることを特徴とする請求項１又は２記載のゴミ袋付きティッシュペーパ袋。
【請求項４】
ティッシュペーパポケット３は透明な合成樹脂製シート材で構成されていることを特徴とする請求項１、２又は３記載のゴミ袋付きティッシュペーパ袋。
【請求項５】
ゴミ袋２及び又はティッシュペーパポケット３の表面には文字や記号又は図形又はそれらの組み合わせによる模様が設けられていることを特徴とする請求項１、２、３又は４記載のゴミ袋付きティッシュペーパ袋。
【請求項６】
ゴミ袋２の裏側２ｈは不透明で、表側２ｆは透明であることを特徴とする請求項１、２、３、４又は５記載のゴミ袋付きティッシュペーパ袋。
【請求項７】
ティッシュペーパポケット３は、ゴミ袋２に接着剤又は融着手段により接着されていることを特徴とする請求項１、２、３、４、５又は６記載のゴミ袋付きティッシュペーパ袋。
【請求項８】
ティッシュペーパポケット３はゴミ袋２に着脱可能な接着剤によって接着されていることを特徴とする請求項１、２、３、４、５又は６記載のゴミ袋付きティッシュペーパ袋。
【考案の詳細な説明】
【技術分野】
【０００１】  この考案は、使用済みのティッシュペーパ類を一時的に保管する携帯用ゴミ袋に関する。
【背景技術】
【０００２】  複数枚のシートペーパが折り畳まれた束になって包装用小袋に収納されたポケットティッシュペーパ（以下「携帯用ティッシュペーパ」と言う）は、携帯に便利ではあるが使用済みのペーパを始末するのに困っていた。近くにゴミ箱でもあればよいが、乗り物の中や道を歩いている場合には、捨てるに捨てられず、仕方なく衣服のポケットやカバンの中に入れているが、気分的な抵抗感は捨てがたい。
また、男性の場合は、特にシャツやズボンのポケットに使用済みのペーパを入れたままにして置くことが多く、洗濯機の中でバラケて洗濯物の表面に付着して困ることがある。
携帯用ティッシュペーパとゴミ袋を組み合わせるというアイデアは既に文献１や文献２で公知であるが、使い勝手の点で更なる改良が必要と思われていた。
【先行技術文献】
【０００３】
【特許文献】
【０００４】
【特許文献１】実開平６−８６６８２号公報
【特許文献２】登録実用新案第３１０５０５１号公報
【考案の概要】
【考案が解決しようとする課題】
【０００５】  この考案は、使用済みのティッシュペーパ類を一時的に保管するゴミ袋を備えた携帯用ゴミ袋付きのティッシュペーパの提供を目的とするものである。
【課題を解決するための手段】
【０００６】  この考案は、上端に開口部２ａを有する封筒状袋体であるゴミ袋２の下方部表面２ｆに前記ゴミ袋２と平行なティッシュペーパ収納用開口部３ａのほぼ中央部にあって該開口部３ａと直角な方向に開口するペーパ取出し口３ｂを有する携帯用ティッシュペーパ用のポケット３（以下、単に「ティッシュペーパポケット３」と言う）を設けたことを特徴とするゴミ袋付きティッシュペーパ袋であって、上端の開口部２ａには必要に応じてファスナー等の開閉手段を設けることが可能であり、このゴミ袋付きティッシュペーパ袋１は、透明又は不透明な合成樹脂製シート材で作られている。そして、前記ゴミ袋付きティッシュペーパ袋１及び又はティッシュペーパポケット３の表面には文字や記号又は図形又はそれらの組み合わせによる模様が設けられ、広告や宣伝用として使用することも出来るものである。また、この考案のゴミ袋付きティッシュペーパ袋はその表面に接着剤又は周知の融着手段により接着されるが、繰り返して着脱可能な接着剤によって接着してもよい。
【考案の効果】
【０００７】  この考案によれば、いつでも使用済みのティッシュペーパを収納できる携帯用のゴミ袋と携帯用ティッシュペーパの構成・機能を合わせ持っているので、使用済みの汚れたペーパシートを衣服のポケットやカバンの中に入れて内部を汚す恐れもなく、携帯用の使い捨てゴミ袋としての使用も可能である。
また、この考案のようにゴミ袋２に収納した使用済みのペーパシート類は、衣服のポケットやカバンの中で押し潰されその存在を失念することも少ないので、前述したように誤って洗濯機の中に衣服と一緒に投入するおそれも少ない。必要ならばゴミ袋の開口部にファスナーを設け使用済みのペーパシートがこぼれ落ちるのを防止することもできる。【０００８】  また、ティッシュペーパポケット３を着脱自在の接着剤にて接着することにより、ゴミ袋を繰り返して使用することもできる。袋の表面には文字や記号又は図形又はそれらの組み合わせによる模様を設けることにより広告や宣伝用として使用することもできるので、促販用の小物としても有効である。
【図面の簡単な説明】
【０００９】
【図１】この考案の説明用組み立て図である。
【図２】ゴミ袋の単体斜視図である。
【図３】ティシュペーパポケット単体斜視図である。
【図４】携帯用ティッシュペーパ単体斜視図である。
【考案を実施するための形態】
【００１０】  以下、図面に基づきこの考案の実施例を説明する。
図４はこの考案のゴミ袋付きティッシュペーパ袋に収納して使用する携帯用ティッシュペーパＴの単体斜視図で、一般的な周知の形状・構成を示している。
これは、内部に折り畳んだシート状の化粧用ペーパシート束（図示せず）を収納した透明又は不透明な合成樹脂製の包装用小袋Ｔａの中央部に引き開け可能な仮想開口用の筋目Ｔｂを有するペーパ取出し口を設けたものである。
【００１１】  図２はゴミ袋２の単体斜視図で、ゴミ袋２は、封筒状袋体の上端に使用済みのペーパシートなどを入れる開口部２ａを有している。ゴミ袋２の開口部２ａにはその表側２ｆに図のように部分的な切欠き２ｂを付けて開口部２ａを開閉し易いようにしている。２ｈはゴミ袋２の裏側を示している。
【００１２】  図３は、ティシュペーパポケット３の単体斜視図である。このティシュペーパポケット３は、ゴミ袋２と同じような透明又は不透明な合成樹脂のシートから成り、携帯用ティッシュペーパ（図４参照）収納用の開口部３ａと、ペーパ取出し口３ｂとが設けられている。このティシュペーパポケット３は、携帯用ティッシュペーパを収納するに足りる余裕を持った形状と大きさを有するようになっており、開口部３ａは前記ティシュペーパポケット３の上端部に、ペーパ取出し口３ｂは、ポケット３のほぼ中央部に開口部３ａと直角な方向に開口している。３ｆは表側、３ｈは裏側を示している。
【００１３】  図１はこの考案のゴミ袋付きティッシュペーパ袋１の組み立て図で、ゴミ袋２と、ティッシュペーパポケット３から構成されており、携帯用ティッシュペーパＴをティッシュペーパポケット３に収納するようになっている。
ゴミ袋付きティッシュペーパ袋１の組み立てには、ゴミ袋２の下方部にティシュペーパポケット３を接着することにより行われる。接着手段としてはゴミ袋２の表側２ｆに、ゴミ袋２の底面とティシュペーパポケット３の底面とが、なるべく面一となるようにティシュペーパポケット３の裏側３ｈを接着剤で接着するが、この点は必ずしも正確さは必要としない。
接着手段としては、両面接着テープを使用したり、電気鏝などによる周知の融着手段を使用することも可能である。
接着剤として、ゴミ袋２又はティシュペーパポケット３の何れかに着脱可能な接着剤を用いて、互いに交換することが出来る。
【００１４】  以上の構成によるこの考案のゴミ袋付きティッシュペーパ袋１は、ティッシュペーパ収納用開口部３ａに携帯用ティシュペーパＴを収納し、ゴミ袋２の上半部を内側に折り畳んで衣服のポケットやカバンに入れて持ち歩くことにより、使用済みのペーパを開口部２ａからゴミ袋２に入れて、一時的に保管することが出来るので使用済みのティッシュペーパの処理に困ることはない。
【００１５】  また、ゴミ袋２の外側を不透明にし、内側を透明にすれば、外側から中身が見えないので不潔感はなくなり、内側からはティシュペーパの使用状態が一目瞭然であるので、使用済みのペーパの処理も適宜行うことができる。
そして、この考案のゴミ袋付きティッシュペーパ袋１及び又はティッシュペーパポケット３の外側表面の不透明部分には、文字や記号又は図形又はそれらの組み合わせによる模様を設けることにより、促販用の広告や宣伝用の小物としても有効に使用することができる。
【符号の説明】
【００１６】１・・・ゴミ袋付きティッシュペーパ袋
２・・・ゴミ袋
２ａ・・開口部
２ｂ・・切欠き
２ｆ・・表側
２ｈ・・裏側
３・・・ティッシュペーパポケット
３ａ・・ティッシュペーパ収納用開口部
３ｂ・・ペーパ取出し口
３ｆ・・表側
３ｈ・・裏側
Ｔ・・・携帯用ティッシュペーパ
Ｔａ・・ティッシュペーパ包装用小袋
Ｔｂ・・仮想開口用筋目
【図１】
0003151805.tif 000003
【図２】
0003151805.tif 000004
【図３】
0003151805.tif 000005
【図４】
0003151805.tif 000006